(57)【要約】【課題】表示領域全体にわたって高速で確実な初期転移を実現することができるＯＣＢモードの液晶装置を提供する。【解決手段】本発明の液晶装置は、第１電圧印加期間においては、第１基板（ＴＦＴアレイ基板）上における複数の第１電極（画素）のうちの一部の第１電極に第２基板（対向基板）上の第２電極（共通電極）と等しい電位が印加され、かつ、前記一部の第１電極と隣り合う他の第１電極に第２電極と異なる電位が印加され、前記第１電圧印加期間と時間的に隣接する第２電圧印加期間においては、前記一部の第１電極および前記他の第１電極に前記第２電極と異なる電位が印加される。【選択図】図４
2008191288.tif 000002
【特許請求の範囲】
【請求項１】
第１電極を備えた第１基板と第２電極を備えた第２基板との間に液晶層が挟持されるとともに、前記液晶層の液晶分子の配向状態をスプレイ配向からベンド配向へと転移させて表示を行う液晶装置であって、
第１電圧印加期間においては、複数の前記第１電極のうちの一部の第１電極に前記第２電極と等しい電位が印加され、かつ、前記一部の第１電極と隣り合う他の第１電極に前記第２電極と異なる電位が印加され、
前記第１電圧印加期間と時間的に隣接する第２電圧印加期間においては、前記一部の第１電極および前記他の第１電極に前記第２電極と異なる電位が印加されることを特徴とする液晶装置。
【請求項２】
前記第１電圧印加期間または前記第２電圧印加期間と時間的に隣接する第３電圧印加期間においては、前記他の第１電極に前記第２電極と等しい電位が印加され、かつ、前記一部の第１電極に前記第２電極と異なる電位が印加されることを特徴とする請求項１に記載の液晶装置。
【請求項３】
前記第１基板上に互いに交差する複数のデータ線および複数の走査線が設けられ、
前記一部の第１電極が、１本の走査線に対応して設けられており、
前記他の第１電極が、前記１本の走査線に隣り合う走査線に対応して設けられていることを特徴とする請求項１または２に記載の液晶装置。
【請求項４】
前記一部の第１電極および前記他の第１電極の配列方向と、前記液晶分子の初期配向方向とが直交していることを特徴とする請求項１ないし３のいずれか一項に記載の液晶装置。
【請求項５】
前記第２電圧印加期間において、前記一部の第１電極と前記他の第１電極とに等しい電位が印加される期間と、前記一部の第１電極と前記他の第１電極とに異なる電位が印加される期間とが交互に設けられていることを特徴とする請求項１ないし４のいずれか一項に記載の液晶装置。
【請求項６】
第１電極を有する第１基板と第２電極を有する第２基板との間に液晶層が挟持されるとともに、前記液晶層の液晶分子の配向状態をスプレイ配向からベンド配向へと転移させて表示を行う液晶装置の駆動方法であって、
前記第１基板上における複数の前記第１電極のうちの一部の第１電極は前記第２電極と電位が等しく、かつ、前記一部の第１電極と隣り合う他の第１電極は前記第２電極と電位が異なる第１電圧印加期間と、前記一部の第１電極および前記他の第１電極のいずれもが前記第２電極と電位が異なる第２電圧印加期間と、が時間的に隣接するように、前記第１電極および前記第２電極への印加電圧を制御することを特徴とする液晶装置の駆動方法。
【請求項７】
請求項１ないし５のいずれか一項に記載の液晶装置を備えたことを特徴とする電子機器。
【発明の詳細な説明】
【技術分野】
【０００１】
本発明は、液晶装置およびその駆動方法、電子機器に関し、特にＯＣＢ（Optical Compensated Birefringence）モードの液晶装置に関するものである。
【背景技術】
【０００２】
液晶装置の分野においては、近年、動画の画質向上を目的として応答速度の速いＯＣＢモードの液晶装置が脚光を浴びている。ＯＣＢモードにおいて、初期状態では液晶分子が２枚の基板間で扇状に開いたスプレイ配向となっており、表示動作時には液晶分子が弓なりに曲がったベンド配向になっている必要がある。すなわち、表示動作時にはベンド配向の曲がりの度合いで透過率を変調することで高速応答性を実現している。したがって、ＯＣＢモードの液晶装置の場合、電源遮断時に液晶はスプレイ配向であるため、電源投入時に閾値電圧以上の電圧を液晶に印加することによって、初期のスプレイ配向から表示動作時のベンド配向に液晶の配向状態を転移させる、いわゆる初期転移操作が必要となる。ここで、初期転移が十分になされないと表示不良が生じたり、所望の高速応答性が得られなかったりするため、これらの点を解決すべく下記の特許文献１の技術が提案されている。
【特許文献１】特開２００２−３５０９０２号公報
【発明の開示】
【発明が解決しようとする課題】
【０００３】
特許文献１では、画素電極と同層もしくは画素電極と異なる層に、画素電極とは電気的に接続されていない配線電極を設け、画素電極と配線電極との間に生じる電界（横電界）によって、液晶中にスプレイ配向からベンド配向へと転移するきっかけとなる核（以下、ベンド転移核という）を発生させ、ベンド配向への転移を行っている。しかしながら、このように画素電極と配線電極との間に単に横電界を発生させただけでは、表示領域全体に対するベンド配向への転移が十分に高速にならず、ＯＣＢモードに必須の初期転移をより高速かつ確実に実現する方法が望まれている。
【０００４】
本発明は、上記の課題を解決するためになされたものであって、表示領域全体に対してより高速で確実な初期転移を実現することができる液晶装置およびその駆動方法を提供することを目的とする。また、このような液晶装置を備えたことで立ち上がりが速く、動画視認性に優れた表示が可能な電子機器を提供することを目的とする。
【課題を解決するための手段】
【０００５】
上記の目的を達成するために、本発明の液晶装置は、第１電極を備えた第１基板と第２電極を備えた第２基板との間に液晶層が挟持されるとともに、前記液晶層の液晶分子の配向状態をスプレイ配向からベンド配向へと転移させて表示を行う液晶装置であって、第１電圧印加期間においては、複数の前記第１電極のうちの一部の第１電極に前記第２電極と等しい電位が印加され、かつ、前記一部の第１電極と隣り合う他の第１電極に前記第２電極と異なる電位が印加され、前記第１電圧印加期間と時間的に隣接する第２電圧印加期間においては、前記一部の第１電極および前記他の第１電極に前記第２電極と異なる電位が印加されることを特徴とする。
【０００６】
本発明の液晶装置の場合、第１電圧印加期間においては、第１基板上における複数の第１電極のうちの一部の第１電極は第２電極と電位が等しく、かつ、前記一部の第１電極と隣り合う他の第１電極は第２電極と電位が異なっている。よって、前記一部の第１電極と前記他の第１電極とは電位が異なっている。これにより、一部の第１電極と他の第１電極との間に電界（横電界）が発生し、横電界が発生した領域（一部の第１電極と他の第１電極との境界近傍）の液晶分子は、横電界に沿って配向しようとして、配向膜から初期的に付与されるプレチルト角よりも大きいチルト角に立ち上がる。さらに、他の第１電極と第２電極との間にも電界（縦電界）が発生するため、縦電界が発生した領域（他の第１電極の直上）の液晶分子は縦電界に沿うように立ち上がる。このような横電界によるチルト角上昇の作用と縦電界によるチルト角上昇の作用とが相俟って、液晶分子はスプレイ配向からベンド配向に容易に転移する。すなわち、第１電圧印加期間において、ベンド転移核を容易に発生させることができる。
【０００７】
次に、第１電圧印加期間と時間的に隣接する第２電圧印加期間においては、第１基板上における前記一部の第１電極および前記他の第１電極の電位が第２電極の電位と異なるため、全ての第１電極に対応する領域で縦電界が発生する。この領域に発生する縦電界の作用により、第１電圧印加期間で発生したベンド転移核が、他の第１電極の直上から一部の第１電極の直上の方まで円滑に伝播（拡大）していく。第１電圧印加期間と第２電圧印加期間とは時間的に隣接しているので、例えばこれら第１電圧印加期間と第２電圧印加期間を交互に繰り返せば、ベンド転移核の生成と伝播（拡大）が交互に繰り返されることになる。本発明の液晶装置においては、このような作用により表示領域全体に対して高速で確実な初期転移を実現することができる。
【０００８】
また、前記第１電圧印加期間または前記第２電圧印加期間と時間的に隣接する第３電圧印加期間において、前記他の第１電極に前記第２電極と等しい電位が印加され、かつ、前記一部の第１電極に前記第２電極と異なる電位が印加される構成としても良い。
【０００９】
この構成を言い換えると、複数の第１電極のうち、第２電極との間に電界（縦電界）が常時発生している第１電極と、第２電極との間に電界が発生したり、電界が発生しなかったりする第１電極とが第１電圧印加期間と第３電圧印加期間とで切り替わるというものである。したがって、第１電圧印加期間では前記他の第１電極側でベンド転移核が発生しやすく、第３電圧印加期間では前記一部の第１電極側でベンド転移核が発生しやすいということになる。第２電圧印加期間はベンド転移核の伝播（拡大）工程となる。したがって、この構成によれば、ベンド転移核の発生箇所が増えることになり、より高速で確実な初期転移を実現することができる。
【００１０】
また、前記第１基板上に互いに交差する複数のデータ線および複数の走査線が設けられ、前記一部の第１電極が、１本の走査線に対応して設けられており、前記他の第１電極が、前記１本の走査線に隣り合う走査線に対応して設けられている構成としても良い。
すなわち、本構成を言い換えると、前記一部の第１電極と前記他の第１電極を走査線１本単位で交互に配置していることになる。そのため、データ線に沿う方向に隣り合う全ての画素電極間で横電界が発生する。したがって、より高速で確実な初期転移を実現することができる。
【００１１】
また、前記一部の第１電極および前記他の第１電極の配列方向と、前記液晶分子の初期配向方向とが直交していることが望ましい。
一部の第１電極および他の第１電極の配列方向と液晶分子の初期配向方向とが直交しているということは、一部の第１電極と他の第１電極とが対向する方向、すなわち横電界の電気力線の方向が液晶分子の初期配向方向と平行ということになる。したがって、横電界が発生したときに液晶分子が横電界に沿ってプレチルト角よりも大きいチルト角に立ち上がる力がより強くなり、ベンド転移核がより生成されやすくなる。
【００１２】
また、前記第２電圧印加期間において、前記一部の第１電極と前記他の第１電極とに等しい電位が印加される期間と、前記一部の第１電極と前記他の第１電極とに異なる電位が印加される期間とが交互に設けられていても良い。
上では、第２電圧印加期間はベンド転移核の伝播（拡大）工程であると述べたが、第２電圧印加期間の中でも、一部の第１電極と他の第１電極との電位が異なる期間を設けてもよく、その場合、この期間に発生する横電界を利用してベンド転移核を生成することができる。そのため、より高速で確実な初期転移を実現することができる。この構成は、特殊な駆動方法を採用することはなく、液晶装置の一般的な反転駆動方法のうち、隣接画素間で横電界が発生するライン反転駆動、ドット反転駆動などを採用することによって容易に実現できる。
【００１３】
本発明の液晶装置の駆動方法は、第１電極を有する第１基板と第２電極を有する第２基板との間に液晶層が挟持されるとともに、前記液晶層の液晶分子の配向状態をスプレイ配向からベンド配向へと転移させて表示を行う液晶装置の駆動方法であって、前記第１基板上における複数の前記第１電極のうちの一部の第１電極は前記第２電極と電位が等しく、かつ、前記一部の第１電極と隣り合う他の第１電極は前記第２電極と電位が異なる第１電圧印加期間と、前記一部の第１電極および前記他の第１電極が前記第２電極と電位が異なる第２電圧印加期間と、が時間的に隣接するように、前記第１電極および前記第２電極への印加電圧を制御することを特徴とする。
【００１４】
本発明の液晶装置の駆動方法によれば、上述した本発明の液晶装置と同様、第１電圧印加期間と第２電圧印加期間とでベンド転移核の生成と伝播（拡大）とが行われる。これにより、表示領域全体に対して高速で確実な初期転移を実現することができる。
【００１５】
本発明の電子機器は、上記本発明の液晶装置を備えたことを特徴とする。
本発明によれば、上記本発明の液晶装置を備えたことによって、立ち上がりが速く、動画視認性に優れた表示が可能な電子機器を実現することができる。
【発明を実施するための最良の形態】
【００１６】
［第１の実施の形態］
以下、本発明の第１の実施の形態を図１〜図６を参照して説明する。
本実施形態では、薄膜トランジスタ（Thin Film Transistor, 以下、ＴＦＴと略記する）を画素スイッチング素子として用いたＴＦＴ方式アクティブマトリクス型、ＯＣＢモードの液晶表示装置（液晶装置）の例を挙げて説明する。
【００１７】
図１は本実施形態の液晶表示装置を各構成要素とともに対向基板の側から見た平面図、図２は図１のＨ−Ｈ’線に沿う断面図、図３は同液晶表示装置の等価回路図、図４は同液晶表示装置において初期転移時の電圧印加パターンを示す図、図５は初期転移時の各ラインに供給する信号のタイミングチャート、図６は初期転移時の液晶分子の挙動を説明するための図である。なお、以下の説明に用いた各図においては、各層や各部材を図面上で認識可能な程度の大きさとするため、各層や各部材毎に縮尺を異ならせてある。
【００１８】
図１および図２に示すように、本実施形態の液晶装置１は、ＴＦＴアレイ基板２（第１基板）と対向基板３（第２基板）とがシール材４によって貼り合わされ、このシール材４によって区画された領域内に液晶層５が封入されている。液晶層５は、正の誘電率異方性を有する液晶材料から構成されており、初期状態ではスプレイ配向、表示動作時にはベンド配向を呈する。シール材４の形成領域の内側の領域には、遮光性材料からなる遮光膜（周辺見切り）６が形成されている。シール材４の外側の周辺回路領域には、データ線駆動回路７および外部回路実装端子８がＴＦＴアレイ基板２の一辺に沿って形成されており、この一辺に隣接する２辺に沿って走査線駆動回路９が形成されている。ＴＦＴアレイ基板２の残る一辺には、表示領域の両側に設けられた走査線駆動回路９の間を接続するための複数の配線１０が設けられている。また、対向基板３の角部においては、ＴＦＴアレイ基板２と対向基板３との間で電気的導通をとるための基板間導通材１１が配設されている。
【００１９】
図３は、本実施形態の液晶装置の等価回路図である。液晶装置の表示領域を構成すべくマトリクス状に配置された複数の画素には、画素電極１３がそれぞれ形成されている。また、画素電極１３の側方には、当該画素電極１３への通電制御を行うための画素スイッチング素子であるＴＦＴ素子１４が形成されている。このＴＦＴ素子１４のソースには、データ線１５が電気的に接続されている。各データ線１５には画像信号Ｓ１、Ｓ２、…、Ｓｎがそれぞれ供給される。なお画像信号Ｓ１、Ｓ２、…、Ｓｎは、各データ線１５に対してこの順に線順次で供給してもよく、隣り合う複数のデータ線１５に対してグループ毎に供給してもよい。
【００２０】
また、ＴＦＴ素子１４のゲートには、走査線１６が電気的に接続されている。走査線１６には、所定のタイミングでパルス的に走査信号Ｇ１、Ｇ２、…、Ｇｍが供給される。なお、走査信号Ｇ１、Ｇ２、…、Ｇｍは、各走査線１６に対してこの順に線順次で印加される。また、ＴＦＴ素子１４のドレインには、画素電極１３が電気的に接続されている。そして、走査線１６から供給された走査信号Ｇ１、Ｇ２、…、Ｇｍにより、スイッチング素子であるＴＦＴ素子１４を一定期間だけオン状態にすると、データ線１５から供給された画像信号Ｓ１、Ｓ２、…、Ｓｎが、各画素の液晶に所定のタイミングで書き込まれる。
【００２１】
液晶に書き込まれた所定レベルの画像信号Ｓ１、Ｓ２、…、Ｓｎは、画素電極１３と後述する共通電極との間に形成される液晶容量で一定期間保持される。なお、保持された画像信号Ｓ１、Ｓ２、…、Ｓｎがリークするのを防止するため、画素電極１３と容量線１７との間に蓄積容量１８が形成され、液晶容量と並列に配置されている。このように、液晶に電圧信号が印加されると、印加された電圧レベルにより液晶分子のベンド配向状態が変化する。これにより、液晶に入射した光が変調されて階調表示がなされる。
【００２２】
以上、等価回路図を用いて画像表示を行う際の動作を説明したが、初期転移（スプレイ配向からベンド配向への転移）のための電圧印加動作を行う際にも、画像表示動作の場合と同様、データ線に初期転移用信号を供給するとともに走査線に走査信号を供給し、表示領域内の複数の画素を駆動する。上述したデータ線１５にデータ線駆動回路７から初期転移用信号が供給され、走査線１６には走査線駆動回路９から走査信号が供給される。データ線駆動回路７と走査線駆動回路９とには、初期転移用信号や走査信号の波形、タイミングなどを制御する制御部（図示せず）が接続されている。
【００２３】
以下、初期転移時の各画素への電圧印加パターンについて図４を用いて説明する。
初期転移時には、第１電圧印加期間として、図４の上側に示すように、ＴＦＴアレイ基板２上の表示領域内の全ての画素電極１３（第１電極）のうち、電圧を印加しない画素電極１３と電圧を印加する画素電極１３が１本の走査線毎に交互に現れるように、各画素電極１３への電圧印加を制御する。具体的には、図４の右上に示すように、…（ｎ−２）ライン目、ｎライン目、（ｎ＋２）ライン目、…、というように、偶数番目の走査線１６に対応する画素電極１３には＋５Ｖの電圧を印加する一方、…（ｎ−１）ライン目、（ｎ＋１）ライン目、…、というように、奇数番目の走査線１６に対応する画素電極１３には電圧を印加しない（０Ｖの電位を供給する）。なお、電圧値については、回路的に印加可能な最大電圧を印加するのが効果的であり、一般的には５〜６Ｖ程度とするのが望ましい。
【００２４】
次に、第２電圧印加期間として、図４の下側に示すように、第１電圧印加期間において電圧を印加していなかった奇数番目の走査線１６に対応する画素電極１３に、第１電圧印加期間において電圧を印加した偶数番目の走査線１６に対応する画素電極１３と同一の電圧を印加する。すなわち、ＴＦＴアレイ基板２上の表示領域内の全ての画素電極１３に同一の電圧を印加する。具体的には、図４の右下に示すように、全ての走査線１６に対応する画素電極１３に＋５Ｖの電圧を印加する。
【００２５】
そして、上述の電圧印加パターンを有する第１電圧印加期間と第２電圧印加期間を一定時間毎に交互に繰り返す。各電圧印加期間の保持時間は０．０１秒〜５秒程度に設定することが望ましい。各電圧印加期間の保持時間が０．０１秒未満であると、液晶分子が電圧変化に追従できず、後述する本発明のチルト角上昇の作用を受けることができない。各電圧印加期間の保持時間が５秒を超えると、液晶装置としての電源投入から表示開始までの立ち上がり時間が長くなり過ぎて好ましくない。
【００２６】
一方、対向基板３上の共通電極２０（第２電極）には、第１電圧印加期間、第２電圧印加期間にわたって常時０Ｖの電位を供給する。したがって、第１電圧印加期間においては、奇数番目の走査線１６に対応する画素では画素電極１３と共通電極２０の電位がともに０Ｖで等しく、偶数番目の走査線１６に対応する画素では画素電極１３と共通電極２０の電位が異なり、電位差が５Ｖとなる。また、第２電圧印加期間においては、全ての画素で画素電極１３と共通電極２０との電位が異なり、電位差が５Ｖとなる。
【００２７】
図５（ａ）、（ｂ）は各画素電極１３に供給される各種信号を走査線（ライン）毎に分けて表したタイミングチャートであり、図５（ａ）が奇数番目の走査線１６（一定間隔で電圧が印加されるライン）、図５（ｂ）が偶数番目の走査線１６（常時電圧が印加されるライン）を示している。また、各走査線毎のタイミングチャートの中での上段側はデータ信号（初期転移用信号）と走査信号を、下段側は液晶層に実際に印加される電圧を示している。
【００２８】
説明をわかりやすくするため、上では一旦印加電圧を＋５Ｖとして説明したが、液晶装置は一般的に液晶の焼き付き等を防止するため、フィールド反転、ライン反転、ドット反転等の反転駆動を採ることが多く、本実施形態の場合もライン反転駆動を行っているものとする。したがって、実際には印加電圧が＋５Ｖであるのは任意の１フレームであって、次の１フレームでは印加電圧が−５Ｖというように極性が反転する。したがって、第１、第２電圧印加期間の切り替え時間との関係で言えば、第１、第２電圧印加期間のそれぞれが１フレーム時間（約０．０１６６秒）よりも長い場合、例えば１秒とした場合には、第１、第２電圧印加期間のそれぞれの中でさらに印加電圧が＋５Ｖ、−５Ｖ、…と切り替わっている。あるいは、第１、第２電圧印加期間のそれぞれが１フレーム時間よりも短い場合、例えば０．０１秒とした場合には、印加電圧の極性は各電圧印加期間の中では切り替わらず、複数の電圧印加期間に跨って切り替わる。
【００２９】
本実施形態の場合、図５（ａ）に示すように、奇数番目の走査線１６に対応する画素電極１３に対して、電圧を印加しない第１電圧印加期間と電圧を印加する第２電圧印加期間とが交互に現れている。また、この例では第１、第２電圧印加期間のそれぞれが１フレーム時間よりも長く、第２電圧印加期間の中でデータ信号が複数回（この例では−、＋、−、＋の計４回）反転している。一方、図５（ｂ）に示すように、偶数番目の走査線１６に対応する画素電極１３に対しては、全ての電圧印加期間で極性が交互に反転された電圧が連続的に印加されている。
【００３０】
次に、初期転移時の液晶分子の挙動について図６を用いて説明する。
図６（ａ）は電圧印加前の液晶分子の配向状態（初期配向状態）、図６（ｂ）は初期転移時の第１電圧印加期間での液晶分子の配向状態、図６（ｃ）は第１電圧印加期間で図６（ｂ）よりもさらに時間が経過した後の液晶分子の配向状態、図６（ｄ）は第２電圧印加期間での液晶分子の配向状態、をそれぞれ示している。また、各図では２つの画素電極を図示しているが、左側が奇数番目の走査線１６に対応する画素電極１３ａ、右側が偶数番目の走査線１６に対応する画素電極１３ｂ、をそれぞれ示している。
【００３１】
例えば液晶装置の電源投入前、すなわち電圧印加前は、図６（ａ）に示すように、液晶分子５ｂは２枚の基板間でスプレイ配向を呈している。次に、初期転移を開始した後、第１電圧印加期間では、図６（ｂ）に示すように、奇数番目の走査線１６に対応する画素電極１３ａの電位が０Ｖ、偶数番目の走査線１６に対応する画素電極１３ｂの電位が５Ｖであるから、これら画素電極１３ａ，１３ｂ間に電界Ｆ１（横電界）が発生する。このとき、横電界Ｆ１が発生した画素電極１３ａ，１３ｂ間の液晶分子５ｂは横電界Ｆ１に沿って配向しようとするため、画素電極１３ａ，１３ｂ上の配向膜（図示略）から初期的に付与されるプレチルト角よりも大きいチルト角に立ち上がる。
【００３２】
ここで、本実施形態においては、図４（ａ）に示すように、基板面の法線方向から平面視したときのＴＦＴアレイ基板２上の配向膜のラビング方向Ｒ（液晶分子の初期配向方向）がデータ線１５の延在方向に平行、すなわち走査線１６の延在方向に直交している。なお、図示しない対向基板上の配向膜のラビング方向は、ＴＦＴアレイ基板２上の配向膜のラビング方向Ｒと平行である。この場合、基板面の法線方向から平面視したときの横電界Ｆ１の電気力線の方向が液晶分子５ｂの初期配向方向に対して平行となる。したがって、ＴＦＴアレイ基板２上の配向膜のラビング方向が他の方向である場合に比べて、横電界Ｆ１が発生したときに液晶分子５ｂが横電界Ｆ１に沿ってプレチルト角よりも大きいチルト角に立ち上がる力がより強く作用する。
【００３３】
また、図６（ｃ）に示すように、偶数番目の走査線１６に対応する画素電極１３ｂの電位が５Ｖ、共通電極２０が０Ｖであるから、これら電極１３ｂ，２０間に電界Ｆ２（縦電界）が発生する。このとき、縦電界Ｆ２が発生した偶数番目の走査線１６に対応する画素電極１３ｂの直上の液晶分子５ｂは縦電界に沿うように立ち上がる。ここで、横電界Ｆ１によるチルト角上昇の作用と縦電界Ｆ２によるチルト角上昇の作用とが相俟って、偶数番目の走査線１６に対応する画素電極１３ｂ上の液晶分子５ｂはスプレイ配向からベンド配向に容易に転移する。このようにして、第１電圧印加期間においては、偶数番目の走査線１６に対応する画素電極１３ｂ上にベンド転移核を発生させることができる。
【００３４】
次に、第２電圧印加期間になると、図６（ｄ）に示すように、全ての画素電極１３ａ，１３ｂの電位が５Ｖ、共通電極２０が０Ｖであるから、全ての画素電極１３ａ，１３ｂの直上で縦電界Ｆ２が発生する。なお、この期間では横電界Ｆ１は発生しない。この縦電界Ｆ２の作用と、隣り合う偶数番目の走査線１６に対応する画素電極１３ｂの直上の液晶分子がベンド配向していることによる作用とが相俟って、今まで電界の作用を受けていなかった奇数番目の走査線１６に対応する画素電極１３ａの直上の液晶分子５ｂも縦電界Ｆ２に沿うように立ち上がる。このようにして、偶数番目の走査線１６に対応する画素電極１３ｂ上に発生したベンド転移核が奇数番目の走査線１６に対応する画素電極１３ａの直上の方まで伝播（拡大）していく。よって、本実施形態の液晶装置１においては、これら第１電圧印加期間と第２電圧印加期間とを交互に繰り返すことによって表示領域の各所でベンド転移核の生成と伝播（拡大）とが交互に繰り返され、表示領域全体に対して高速で確実な初期転移を実現することができる。
【００３５】
第１電圧印加期間と第２電圧印加期間とで電圧の印加、無印加を交互に切り替える画素電極１３と常時電圧を印加する画素電極１３とは、必ずしも１本の走査線毎に交互に配置しなくてもよく、電圧の印加、無印加を交互に切り替える画素電極と常時電圧を印加する画素電極を例えば走査線２本ずつ配置するなどしても良い。しかしながら、本実施形態のように、電圧の印加、無印加を交互に切り替える画素電極１３と常時電圧を印加する画素電極１３を走査線１本単位で交互に配置した場合、データ線１５に沿う方向に隣り合う全ての画素電極１３間で横電界が発生することになり、より高速で確実な初期転移を実現することができる。
【００３６】
さらに本実施形態のようにライン反転駆動を採用した場合、第２電圧印加期間中においても、奇数番目の走査線１６に対応する画素電極１３と偶数番目の走査線１６に対応する画素電極１３の電位が異なり、横電界が発生する。すると、第２電圧印加期間ではベンド転移核が伝播（拡大）するのと同時に、ベンド転移核を生成することもできる。そのため、より高速で確実な初期転移を実現することができる。
【００３７】
［第２の実施の形態］
以下、本発明の第２の実施の形態を図７を参照して説明する。
本実施形態の液晶表示装置の基本構成は第１実施形態と全く同様であり、初期転移時の電圧印加パターンが第１実施形態と異なるのみである。よって、本実施形態では、装置の構成の説明は省略し、図７を用いて初期転移時の各画素への電圧印加パターンのみを説明する。
【００３８】
本実施形態の場合、図７の上側に示すように、第１電圧印加期間として、偶数番目の走査線１６に対応する画素電極１３の電位を＋５Ｖとする一方、奇数番目の走査線１６に対応する画素電極１３の電位を０Ｖとし、第２電圧印加期間として、奇数番目の走査線１６に対応する画素電極１３にも偶数番目の走査線１６に対応する画素電極１３と同一の電圧を印加し、第１電圧印加期間と第２電圧印加期間を一定時間毎に交互に繰り返す。ここまでは第１実施形態と同じである。
【００３９】
次に、電圧の印加、無印加を交互に切り替える画素電極１３と常時電圧を印加する画素電極１３とを入れ替え、図７の下側に示すように、第３電圧印加期間として、…（ｎ−１）ライン目、（ｎ＋１）ライン目、（ｎ＋３）ライン目、…というように、奇数番目の走査線１６に対応する画素電極１３の電位を＋５Ｖとする一方、…（ｎ−２）ライン目、ｎライン目、（ｎ＋２）ライン目、…というように、偶数番目の走査線１６に対応する画素電極１３の電位を０Ｖとし、第４電圧印加期間として、偶数番目の走査線１６に対応する画素電極１３にも奇数番目の走査線１６に対応する画素電極１３と同一の電圧を印加し、第３電圧印加期間と第４電圧印加期間を一定時間毎に交互に繰り返す。そして、第１電圧印加期間と第２電圧印加期間を交互に繰り返す工程と、第３電圧印加期間と第４電圧印加期間を交互に繰り返す工程と、をさらに交互に繰り返す。２つの工程を繰り返す回数が多い程ベンド転移を確実にすることができるが、ベンド転移に要する時間が長くなってしまうため好ましくなく、３〜５回程度繰り返すのが好ましい。その他は第１実施形態と同様である。
なお、ここでは、説明をしやすくするため、第３電圧印加期間と時間的に隣接する第４電圧印加期間を設けたが、第４電圧印加期間の電圧印加パターンは第２電圧印加期間と同一である。したがって、本実施形態における「第４電圧印加期間」は、特許請求の範囲における「第２電圧印加期間」に相当する。
【００４０】
本実施形態においても、表示領域の各所でベンド転移核の生成と伝播（拡大）とが交互に繰り返され、表示領域全体に対して高速で確実な初期転移を実現できる、といった第１実施形態と同様の効果を得ることができる。特に本実施形態の場合、第１電圧印加期間と第２電圧印加期間を交互に繰り返す工程と第３電圧印加期間と第４電圧印加期間を交互に繰り返す工程を交互に繰り返しており、電圧の印加、無印加を交互に切り替える画素電極と常時電圧を印加する画素電極とが一定時間おきに入れ替わっている。そのため、主にベンド転移核が発生する箇所と、発生したベンド転移核を伝播させる箇所とが一定時間おきに入れ替わることになり、全体としての初期転移をより高速に完了させることができる。
【００４１】
［電子機器の一例］
以下、本発明の電子機器の一実施形態を図８を用いて説明する。
図８は上記実施形態の液晶装置を備えた携帯電話機の斜視図である。同図に示すように、携帯電話機１３００は、複数の操作ボタン１３０２、受話口１３０３、送話口１３０４とともに、上記実施形態の液晶装置からなる液晶表示部１３０１を備えている。
本実施形態によれば、上記実施形態の液晶表示装置が備えられたことで立ち上がりが速く、動画表示特性に優れた液晶表示部を備えた電子機器を実現することができる。
【００４２】
［電子機器の他の例］
以下、本発明の電子機器の他の実施形態を図９を用いて説明する。
図９は上記実施形態の液晶装置を備えたプロジェクタの概略構成図である。
本例のプロジェクタ１０７は、図９に示すように、光源１１１、ダイクロイックミラー１１４，１１５、反射ミラー１１６，１１７，１１８、入射レンズ１１９、リレーレンズ１２０、出射レンズ１２１、液晶ライトバルブ１１２Ｒ，１１２Ｇ，１１２Ｂ（上記実施形態の液晶装置１）、クロスダイクロイックプリズム１２２、投射レンズ１１３等から構成されている。その他、光源１１１から射出される光の照度分布を均一化するためのインテグレータ光学系、光源１１１から射出される光の偏光状態を液晶ライトバルブ１１２Ｒ，１１２Ｇ，１１２Ｂで用いる偏光に揃える偏光変換光学系を備えていても良い。
【００４３】
光源１１１は、高圧水銀ランプ、メタルハライドランプ等のランプ１２４と、ランプ１２４の光を反射するリフレクタ１２５とから構成されている。ダイクロイックミラー１１４は、光源１１１からの白色光に含まれる赤色光を透過させるとともに、青色光と緑色光とを反射する機能を有している。ダイクロイックミラー１１５は、青色光を透過させるとともに、緑色光を反射する機能を有している。よって、ダイクロイックミラー１１５を透過した赤色光は反射ミラー１１６で反射されて、赤色光用液晶ライトバルブ１１２Ｒに入射される。また、ダイクロイックミラー１１４で反射された緑色光は、ダイクロイックミラー１１５によって反射され、緑色光用液晶ライトバルブ１１２Ｇに入射される。
【００４４】
さらに、ダイクロイックミラー１１４で反射された青色光は、ダイクロイックミラー１１５を透過する。青色光に対しては、長い光路による光損失を防ぐため、入射レンズ１１９、リレーレンズ１２０および出射レンズ１２１を含むリレーレンズ系からなる導光光学系１２６が設けられている。この導光光学系１２６を介して青色光が青色光用液晶ライトバルブ１１２Ｂに入射される。
【００４５】
各液晶ライトバルブ１１２Ｒ，１１２Ｇ，１１２Ｂによって変調された３つの色光は、クロスダイクロイックプリズム１２２に入射する。このクロスダイクロイックプリズム１２２は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ１１３によってスクリーン１０３上に投影され、画像が拡大表示される。
本実施形態によれば、上記実施形態の液晶装置を用いた液晶ライトバルブが備えられたことで立ち上がりが速く、動画表示特性に優れたプロジェクタを実現することができる。
【００４６】
なお、本発明の技術範囲は上記実施の形態に限定されるものではなく、本発明の趣旨を逸脱しない範囲において種々の変更を加えることが可能である。例えば上記の実施形態で例示した電圧印加パターンの具体的な電圧値はほんの一例に過ぎず、適宜変更が可能である。また、１本の走査線に対応する画素電極単位に電圧の印加、無印加を制御するものとして説明したが、１本のデータ線に対応する画素電極単位に電圧の印加、無印加を制御しても良い。すなわち、図４における同電位となる画素電極が横方向に並んだ構成に代えて、同電位となる画素電極が縦方向に並んだ構成としても良い。また、液晶表示装置の基本構成は特に限定されるものではなく、例えば薄膜ダイオード（Thin Film Diode,ＴＦＤ）を画素スイッチング素子としたＴＦＤ型アクティブマトリクス液晶表示装置に本発明を適用することもできる。
【００４７】
また、上記第２実施形態では、第１電圧印加期間と第２電圧印加期間を交互に繰り返す１セットと第３電圧印加期間と第４電圧印加期間を交互に繰り返す１セットを交互に繰り返す構成としたが、この構成に代えて、例えば第１電圧印加期間→第２電圧印加期間→第３電圧印加期間→第４電圧印加期間を１セットとし、これを繰り返す構成としても良い。さらには、第１電圧印加期間と第３電圧印加期間とを時間的に隣接させ、例えば第１電圧印加期間→第３電圧印加期間→第２電圧印加期間→…のようにしても良い。
【図面の簡単な説明】
【００４８】
【図１】本発明の第１実施形態の液晶表示装置の平面図である。
【図２】図１のＨ−Ｈ’線に沿う断面図である。
【図３】同液晶表示装置の等価回路図である。
【図４】同液晶表示装置において初期転移時の印加電圧パターンを示す図である。
【図５】初期転移時の各ラインに供給する信号のタイミングチャートである。
【図６】初期転移時の液晶分子の挙動を説明するための図である。
【図７】本発明の第２実施形態の初期転移時の印加電圧パターンを示す図である。
【図８】本発明の電子機器の一例を示す斜視図である。
【図９】本発明の電子機器の他の例を示す概略構成図である。
【符号の説明】
【００４９】
１…液晶表示装置、２…ＴＦＴアレイ基板（第１基板）、３…対向基板（第２基板）、５…液晶層、１３…画素電極（第１電極）、２０…共通電極（第２電極）。
【図１】
2008191288.tif 000003
【図２】
2008191288.tif 000004
【図３】
2008191288.tif 000005
【図４】
2008191288.tif 000006
【図５】
2008191288.tif 000007
【図６】
2008191288.tif 000008
【図７】
2008191288.tif 000009
【図８】
2008191288.tif 000010
【図９】
2008191288.tif 000011